【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
送信元装置及び送信先装置を有し、少なくとも前記送信元装置から前記送信先装置への送信を中間装置を介して行い、前記送信元装置は自身を識別するための識別メッセージを送信する無線通信システムにおける送信方法であって、
前記送信元装置から識別メッセージを送信し、
前記中間装置において、前記送信元装置からの前記識別メッセージが受信されるかどうかを判断し、受信される場合に、前記識別メッセージの受信を前記送信先装置に通知し、
前記送信先装置において、前記送信元装置から送信され、前記送信先装置で直接受信される識別メッセージの検出を行い、また、前記中間装置が前記識別メッセージの受信を前記送信先装置に通知したかどうかの検出を行い、
該各検出の結果を前記送信元装置との間の通信パスの選択に使用する、ことを特徴とする送信方法。
【請求項２】
前記中間装置は、前記送信先装置へ前記識別メッセージを再送信することによって、前記識別メッセージの受信を前記送信先装置に通知する、請求項１記載の送信方法。
【請求項３】
前記中間装置は、前記送信先装置へ通知メッセージを送信することによって、前記識別メッセージの受信を前記送信先装置に通知する、請求項１記載の送信方法。
【請求項４】
前記送信先装置は、前記識別メッセージの受入基準を前記中間装置に予め通知し、
前記中間装置は、前記基準を満足する識別メッセージが受信されたと判断すると、前記送信先装置に通知する、請求項１記載の送信方法。
【請求項５】
前記送信先装置は、直接受信される識別メッセージ及び前記中間装置から再送信される前記識別メッセージを受入基準と比較する、請求項２記載の送信方法。
【請求項６】
前記通知メッセージは、受信された識別メッセージの品質に関する情報を含み、
前記送信先装置は、直接受信される識別メッセージ及び前記中間装置からの前記通知メッセージに含まれる前記情報を受入基準と比較する、請求項３記載の送信方法。
【請求項７】
前記比較の結果、前記受入基準を満足する識別メッセージが受信されなかった場合に、前記送信先装置は前記識別メッセージの再送信の要求を送信する、請求項５又は６記載の送信方法。
【請求項８】
前記送信元装置から前記識別メッセージを夫々受信可能な複数の中間装置が存在する場合に、
前記送信先装置において、どのように前記送信元装置へ応答を送信すべきかを決定するよう複数の検出の間でアービトレーションを行うことを含む、請求項１乃至７のうちいずれか一項記載の送信方法。
【請求項９】
前記送信元装置と前記送信先装置との間にマルチホップ形式で配置される複数の中間装置が存在する場合に、
前記識別メッセージの受信を前記送信先装置に通知することは、前記識別メッセージの受信を他の中間装置に通知することを含む、請求項１乃至８のうちいずれか一項記載の送信方法。
【請求項１０】
送信元装置、送信先装置及び少なくとも１つの中間装置を有し、前記送信元装置から前記送信先装置への送信を前記中間装置を介して行い、前記送信元装置は自身を識別するための識別メッセージを当該無線通信システムへ送信する無線通信システムであって、
前記送信元装置は、識別メッセージを送信する手段を有し、
前記中間装置は、前記送信元装置からの前記識別メッセージが受信されるかどうかを判断し、受信される場合に、前記識別メッセージの受信を前記送信先装置に通知する手段を有し、
前記送信先装置は、前記送信元装置から前記送信先装置で直接受信される識別メッセージを検出し、また、前記中間装置が前記識別メッセージの受信を前記送信先装置に通知したかどうかを検出する検出手段と、
該検出手段の出力に応じて、前記送信元装置との通信パスの決定を行う決定手段と
を有する無線通信システム。
【請求項１１】
前記中間装置は、前記送信先装置へ前記識別メッセージを再送信することによって、前記識別メッセージの受信を前記送信先装置に通知する手段を有する、請求項１０記載の無線通信システム。
【請求項１２】
前記中間装置は、前記送信先装置へ通知メッセージを送信することによって、前記識別メッセージの受信を前記送信先装置に通知する手段を有する、請求項１０記載の無線通信システム。
【請求項１３】
前記送信先装置は、前記識別メッセージの受入基準を前記中間装置に通知する手段を有し、
前記中間装置は、前記基準を満足する識別メッセージが受信されたと判断すると、前記送信先装置に通知する、請求項１０記載の無線通信システム。
【請求項１４】
情報を送受信するよう夫々配置される加入者局及び基地局と、少なくとも前記加入者局から前記基地局へのアップリンクに置かれる１又はそれ以上の中継局とを有し、前記加入者局は自身を識別するためのレンジングメッセージを当該無線通信システムへ送信する無線通信システムであって、
前記１又はそれ以上の中継局の夫々は、レンジングメッセージが前記加入者局から又は下流の中継局から受信されたかどうかを判断し、受信される場合に、前記レンジングメッセージの受信を前記基地局又は上流の中継局に通知する手段を有し、
前記基地局は、該基地局が前記加入者局から直接受信したレンジングメッセージを検出し、いずれかの中継局が前記加入者局から発せられたレンジングメッセージの受信を前記基地局に通知したかどうかを検出する検出手段と、該検出手段による検出の結果を用いて、前記加入者局との間の通信パスを決定する決定手段と
を有する無線通信システム。
【請求項１５】
送信元装置から中間装置へ及ぶ通信経路と、前記中間装置から送信先装置へ及ぶ通信経路とを形成することによって、無線通信システムで前記送信元装置と前記送信先装置との間の情報の送信及び受信を行い、前記送信元装置を識別する識別メッセージを含む前記送信元装置からの情報を受信して処理するよう動作する中間装置であって、
前記送信元装置からの識別メッセージが受信されるかどうかを判断し、受信される場合に、前記識別メッセージの受信を前記送信先装置に通知する手段を有し、該識別メッセージの受信の該通知は、該送信先装置によって、該送信元装置との間の通信パスの決定に用いられる、ことを特徴とする中間装置。
【請求項１６】
前記送信先装置へ前記識別メッセージを再送信することによって、前記識別メッセージの受信を前記送信先装置に通知する、請求項１５記載の中間装置。
【請求項１７】
前記送信先装置へ通知メッセージを送信することによって、前記識別メッセージの受信を前記送信先装置に通知する、請求項１５記載の中間装置。
【請求項１８】
前記送信先装置が、前記識別メッセージの受入基準を前記中間装置に予め通知する場合に、
前記中間装置は、前記基準を満足する識別メッセージが受信されたと判断すると、前記送信先装置に通知する、請求項１５記載の中間装置。
【請求項１９】
情報を送信及び受信するよう夫々配置される加入者局及び少なくとも１つの中継局とともに通信システムを形成し、前記加入者局は、更に、自身を識別するための識別メッセージを送信し、前記中継局は、更に、該識別メッセージの受信を該基地局に通知する基地局であって、
前記加入者局から直接受信されるレンジングメッセージを検出し、更に、前記中継局が前記識別メッセージの受信を当該基地局に通知したかどうかの検出を行う検出手段と、
該検出手段による検出の結果を用いて、前記加入者局との間の通信パスの決定を行う決定手段と
を有する基地局。
【請求項２０】
無線通信システムの少なくとも送信先装置及び中間装置で実行される場合に、請求項１乃至９のうちいずれか一項記載の送信方法を実行するプログラムコードを記憶するコンピュータ読取可能な記録媒体。
【手続補正２】
【補正対象書類名】明細書
【補正対象項目名】０００２
【補正方法】変更
【補正の内容】
【０００２】
マルチホップ通信システムで、通信信号は、送信元装置から送信先装置へ１又はそれ以上の中間装置を介して通信経路に沿った通信方向で送信される。図１は、基地局ＢＳ（「ノードＢ」ＮＢとして３Ｇ通信システムとの関連で知られる。）と、中継ノードＲＮ（中継局ＲＳとして知られる。）と、ユーザ装置ＵＥのアイテム（移動局ＭＳ又は加入者局ＳＳとしても知られる。以下、用語ＭＳ／ＳＳはこのような形式のＵＥのうちのいずれか一方を表すために使用される。）とを有する単一セル２ホップ無線通信システムを表す。信号が基地局から送り先ユーザ装置（ＵＥ）へ中継ノード（ＲＮ）を介してダウンリンク（ＤＬ）で送信されている場合、基地局は発信局（Ｓ）を構成し、ユーザ装置は送り先局（Ｄ）を構成する。通信信号が、ユーザ装置（ＵＥ）から中継ノードを介して基地局へアップリンク（ＵＬ）で送信されている場合、ユーザ装置は発信局を構成し、基地局は送り先局を構成する。後者の通信形態は、ネットワークエントリ手順の一部として、基地局へ（ひいては、ネットワークへ）そのユーザ装置を識別するための、ユーザ装置によって送信される信号を含む。これは、以下で説明されるように、本発明に特に関連する。
【手続補正３】
【補正対象書類名】明細書
【補正対象項目名】０００３
【補正方法】変更
【補正の内容】
【０００３】
中継ノードは、中間装置の一例であり、送信元装置からデータを受信するよう動作する受信器と、このデータ又はそれから派生したものを送信先装置へ送信するよう動作する送信器とを有する。
【手続補正４】
【補正対象書類名】明細書
【補正対象項目名】００１０
【補正方法】変更
【補正の内容】
【００１０】
従って、単一送信を２（又はそれ以上）のより短い送信セグメントに分けることは、経路損失と距離との間の非線形な関係を利用する。式（Ａ）を用いる経路損失の単純な理論解析から、全体的な経路損失の減少（従って、信号強度ひいてはデータスループットの改善又は増進）は、信号が送信元装置から送信先装置へ直接送信されるのではなく、送信元装置から送信先装置へ中間装置（例えば、中継ノード。）を介して送信される場合に達成され得る。適切に実施される場合に、マルチホップ通信システムは、干渉レベルの減少をもたらし、更に、電磁放射への暴露を減少させるよう、無線通信を促す送信器の送信電力の低減を可能にすることができる。代替的に、全体的な経路損失の減少は、信号を搬送するために必要とされる放射送信電力全体を増大させることなく、受信器において受信信号品質を改善するために利用され得る。
【手続補正５】
【補正対象書類名】明細書
【補正対象項目名】００４４
【補正方法】変更
【補正の内容】
【００４４】
（付記１）  送信元装置及び送信先装置を有し、少なくとも前記送信元装置から前記送信先装置への送信を中間装置を介して行い、前記送信元装置は自身を識別するための識別メッセージを送信する無線通信システムにおける送信方法であって、
前記送信元装置から識別メッセージを送信し、
前記中間装置において、前記送信元装置からの前記識別メッセージが受信されるかどうかを判断し、受信される場合に、前記識別メッセージの受信を前記送信先装置に通知し、
前記送信先装置において、前記送信元装置から送信され、前記送信先装置で直接受信される識別メッセージの検出を行い、また、前記中間装置が前記識別メッセージの受信を前記送信先装置に通知したかどうかの検出を行い、
該各検出の結果を前記送信元装置との間の通信パスの選択に使用する、ことを特徴とする送信方法。
【手続補正６】
【補正対象書類名】明細書
【補正対象項目名】００４５
【補正方法】変更
【補正の内容】
【００４５】
（付記２）  前記中間装置は、前記送信先装置へ前記識別メッセージを再送信することによって、前記識別メッセージの受信を前記送信先装置に通知する、付記１記載の送信方法。
【手続補正７】
【補正対象書類名】明細書
【補正対象項目名】００４６
【補正方法】変更
【補正の内容】
【００４６】
（付記３）  前記中間装置は、前記送信先装置へ通知メッセージを送信することによって、前記識別メッセージの受信を前記送信先装置に通知する、付記１記載の送信方法。
【手続補正８】
【補正対象書類名】明細書
【補正対象項目名】００４７
【補正方法】変更
【補正の内容】
【００４７】
（付記４）  前記送信先装置は、前記識別メッセージの受入基準を前記中間装置に予め通知し、前記中間装置は、前記基準を満足する識別メッセージが受信されたと判断すると、前記送信先装置に通知する、付記１記載の送信方法。
【手続補正９】
【補正対象書類名】明細書
【補正対象項目名】００４８
【補正方法】変更
【補正の内容】
【００４８】
（付記５）  前記送信先装置は、直接受信される識別メッセージ及び前記中間装置から再送信される前記識別メッセージを受入基準と比較する、付記２記載の送信方法。
【手続補正１０】
【補正対象書類名】明細書
【補正対象項目名】００４９
【補正方法】変更
【補正の内容】
【００４９】
（付記６）  前記通知メッセージは、受信された識別メッセージの品質に関する情報を含み、前記送信先装置は、直接受信される識別メッセージ及び前記中間装置からの前記通知メッセージに含まれる前記情報を受入基準と比較する、付記３記載の送信方法。
【手続補正１１】
【補正対象書類名】明細書
【補正対象項目名】００５０
【補正方法】変更
【補正の内容】
【００５０】
（付記７）  前記比較の結果、前記受入基準を満足する識別メッセージが受信されなかった場合に、前記送信先装置は前記識別メッセージの再送信の要求を送信する、付記５又は６記載の送信方法。
【手続補正１２】
【補正対象書類名】明細書
【補正対象項目名】００５３
【補正方法】変更
【補正の内容】
【００５３】
（付記１０）  前記送信元装置から前記識別メッセージを夫々受信可能な複数の中間装置が存在する場合に、前記送信先装置において、どのように前記送信元装置へ応答を送信すべきかを決定するよう複数の検出の間でアービトレーションを行うことを含む、付記１乃至９のうちいずれかひとつに記載の送信方法。
【手続補正１３】
【補正対象書類名】明細書
【補正対象項目名】００５４
【補正方法】変更
【補正の内容】
【００５４】
（付記１１）  前記送信元装置と前記送信先装置との間にマルチホップ形式で配置される複数の中間装置が存在する場合に、前記識別メッセージの受信を前記送信先装置に通知することは、前記識別メッセージの受信を他の中間装置に通知することを含む、付記１乃至１０のうちいずれかひとつに記載の送信方法。
【手続補正１４】
【補正対象書類名】明細書
【補正対象項目名】００５５
【補正方法】変更
【補正の内容】
【００５５】
（付記１２）  前記識別メッセージはレンジングコードであり、前記送信先装置の応答はレンジング応答である、付記１乃至１１のうちいずれかひとつに記載の送信方法。
【手続補正１５】
【補正対象書類名】明細書
【補正対象項目名】００５６
【補正方法】変更
【補正の内容】
【００５６】
（付記１３）  前記送信元装置は携帯端末である、付記１乃至１２のうちいずれかひとつに記載の送信方法。
【手続補正１６】
【補正対象書類名】明細書
【補正対象項目名】００５７
【補正方法】変更
【補正の内容】
【００５７】
（付記１４）  前記送信先装置は基地局である、付記１乃至１３のうちいずれかひとつに記載の送信方法。
【手続補正１７】
【補正対象書類名】明細書
【補正対象項目名】００６０
【補正方法】変更
【補正の内容】
【００６０】
（付記１７）  送信元装置、送信先装置及び少なくとも１つの中間装置を有し、前記送信元装置から前記送信先装置への送信を前記中間装置を介して行い、前記送信元装置は自身を識別するための識別メッセージを当該無線通信システムへ送信する無線通信システムであって、
前記送信元装置は、識別メッセージを送信する手段を有し、
前記中間装置は、前記送信元装置からの前記識別メッセージが受信されるかどうかを判断し、受信される場合に、前記識別メッセージの受信を前記送信先装置に通知する手段を有し、
前記送信先装置は、前記送信元装置から前記送信先装置で直接受信される識別メッセージを検出し、また、前記中間装置が前記識別メッセージの受信を前記送信先装置に通知したかどうかを検出する検出手段と、
該検出手段の出力に応じて、前記送信元装置との通信パスの決定を行う決定手段と
を有する無線通信システム。
【手続補正１８】
【補正対象書類名】明細書
【補正対象項目名】００６１
【補正方法】変更
【補正の内容】
【００６１】
（付記１８）  前記中間装置は、前記送信先装置へ前記識別メッセージを再送信することによって、前記識別メッセージの受信を前記送信先装置に通知する手段を有する、付記１７記載の無線通信システム。
【手続補正１９】
【補正対象書類名】明細書
【補正対象項目名】００６２
【補正方法】変更
【補正の内容】
【００６２】
（付記１９）  前記中間装置は、前記送信先装置へ通知メッセージを送信することによって、前記識別メッセージの受信を前記送信先装置に通知する手段を有する、付記１７記載の無線通信システム。
【手続補正２０】
【補正対象書類名】明細書
【補正対象項目名】００６３
【補正方法】変更
【補正の内容】
【００６３】
（付記２０）  前記送信先装置は、前記識別メッセージの受入基準を前記中間装置に通知する手段を有し、前記中間装置は、前記基準を満足する識別メッセージが受信されたと判断すると、前記送信先装置に通知する、付記１７記載の無線通信システム。
【手続補正２１】
【補正対象書類名】明細書
【補正対象項目名】００６４
【補正方法】変更
【補正の内容】
【００６４】
（付記２１）  情報を送受信するよう夫々配置される加入者局及び基地局と、少なくとも前記加入者局から前記基地局へのアップリンクに置かれる１又はそれ以上の中継局とを有し、前記加入者局は自身を識別するためのレンジングメッセージを当該無線通信システムへ送信する無線通信システムであって、
前記１又はそれ以上の中継局の夫々は、レンジングメッセージが前記加入者局から又は下流の中継局から受信されたかどうかを判断し、受信される場合に、前記レンジングメッセージの受信を前記基地局又は上流の中継局に通知する手段を有し、
前記基地局は、該基地局が前記加入者局から直接受信したレンジングメッセージを検出し、いずれかの中継局が前記加入者局から発せられたレンジングメッセージの受信を前記基地局に通知したかどうかを検出する検出手段と、該検出手段による検出の結果を用いて、前記加入者局との間の通信パスを決定する決定手段と
を有する無線通信システム。
【手続補正２２】
【補正対象書類名】明細書
【補正対象項目名】００６５
【補正方法】変更
【補正の内容】
【００６５】
（付記２２）  送信元装置から中間装置へ及ぶ通信経路と、前記中間装置から送信先装置へ及ぶ通信経路とを形成することによって、無線通信システムで前記送信元装置と前記送信先装置との間の情報の送信及び受信を行い、前記送信元装置を識別する識別メッセージを含む前記送信元装置からの情報を受信して処理するよう動作する中間装置であって、
前記送信元装置からの識別メッセージが受信されるかどうかを判断し、受信される場合に、前記識別メッセージの受信を前記送信先装置に通知する手段を有し、該識別メッセージの受信の該通知は、該送信先装置によって、該送信元装置との間の通信パスの決定に用いられる、ことを特徴とする中間装置。
【手続補正２３】
【補正対象書類名】明細書
【補正対象項目名】００６６
【補正方法】変更
【補正の内容】
【００６６】
（付記２３）  前記送信先装置へ前記識別メッセージを再送信することによって、前記識別メッセージの受信を前記送信先装置に通知する、付記２２記載の中間装置。
【手続補正２４】
【補正対象書類名】明細書
【補正対象項目名】００６７
【補正方法】変更
【補正の内容】
【００６７】
（付記２４）  前記送信先装置へ通知メッセージを送信することによって、前記識別メッセージの受信を前記送信先装置に通知する、付記２２記載の中間装置。
【手続補正２５】
【補正対象書類名】明細書
【補正対象項目名】００６８
【補正方法】変更
【補正の内容】
【００６８】
（付記２５）  前記送信先装置が、前記識別メッセージの受入基準を前記中間装置に予め通知する場合に、前記基準を満足する識別メッセージが受信されたと判断すると、前記送信先装置に通知する、付記２２記載の中間装置。
【手続補正２６】
【補正対象書類名】明細書
【補正対象項目名】００６９
【補正方法】変更
【補正の内容】
【００６９】
（付記２６）  情報を送信及び受信するよう夫々配置される加入者局及び少なくとも１つの中継局とともに通信システムを形成し、前記加入者局は、更に、自身を識別するための識別メッセージを送信し、前記中継局は、更に、該識別メッセージの受信を該基地局に通知する基地局であって、
前記加入者局から直接受信されるレンジングメッセージを検出し、更に、前記中継局が前記識別メッセージの受信を当該基地局に通知したかどうかの検出を行う検出手段と、
該検出手段による検出の結果を用いて、前記加入者局との間の通信パスの決定を行う決定手段と
を有する基地局。
【手続補正２７】
【補正対象書類名】明細書
【補正対象項目名】００７０
【補正方法】変更
【補正の内容】
【００７０】
（付記２７）  無線通信システムの少なくとも送信先装置及び中間装置で実行される場合に、付記１乃至１６のうちいずれかひとつに記載の送信方法を実行するプログラムコードを記憶するコンピュータ読取可能な記録媒体。
【手続補正２８】
【補正対象書類名】明細書
【補正対象項目名】００７２
【補正方法】変更
【補正の内容】
【００７２】
ＢＳ  基地局
ＲＳ  中継局（中間装置）
ＭＳ  移動局
ＳＳ  加入者局
ＵＥ  ユーザ装置
Ｌ    経路損失